(57)【要約】【課題】  携帯電話に着信があった際に、簡単な動作により、確実に現在表示中のテレビ番組の録画を開始することが可能なリモートコントロールシステム、携帯電話及び画像受信装置を提供する。【解決手段】  本発明に係るリモートコントロールシステムは、携帯電話と録画機能付きのデジタルテレビとが、無線通信を介して接続されており、携帯電話の着信に対してユーザが応答する際に、デジタルテレビにおいて現在放送中の番組の録画が開始された後に、通話が開始される。また、録画不能な場合は、その旨の通知がされる。【選択図】        図５
2007096852.tif 000002
【特許請求の範囲】
【請求項１】
他の電子機器との間で無線通信を行う第１の無線通信部を備える携帯電話と、
放送電波受信部と、画像表示部と、前記放送電波受信部で受信した画像信号を記録する記録部と、他の電子機器との間で無線通信を行う第２の無線通信部とを備える画像表示装置とからなり、
前記携帯電話は、電話の着信があった旨の着信情報を前記第１の無線通信部を介して前記画像表示装置へ送信し、前記着信情報に対する応答を前記画像表示装置から受信した後に着信相手との通話を可能にする第１の制御部を含み、
前記画像表示装置は、前記着信情報を受信したとき、現在表示されている放送の画像信号を前記記録部へ記録し、かつ、前記応答を前記第２の無線通信部を介して前記携帯電話に送信する第２の制御部を含むことを特徴とするリモートコントロールシステム。
【請求項２】
前記第１の制御部は、前記着信情報を前記携帯電話におけるユーザの着信応答動作に基づいて出力し、
前記第２の制御部は、前記着信情報を受信したとき、前記画像表示装置に現在表示されている放送の画像信号の前記記録部への記録を開始することを特徴とする請求項１記載のリモートコントロールシステム。
【請求項３】
前記第２の制御部は、前記画像表示装置におけるユーザの操作に基づき前記画像表示装置に現在表示されている放送の画像信号の前記記録部への記録を開始し、
前記第１の制御部は、前記応答を受信したとき、前記携帯電話を前記着信に対して応答保留状態にすることを特徴とする請求項１記載のリモートコントロールシステム。
【請求項４】
前記第１の制御部は、前記通話が終了したとき、録画した番組の再生を開始する旨の再生要求信号を前記第１の無線通信部を介して前記画像表示装置に送信し、
前記第２の制御部は、前記再生要求信号に応じて、前記番組の録画を継続しつつ録画した番組を再生することを特徴とする請求項１から３いずれかに記載のリモートコントロールシステム。
【請求項５】
前記第２の制御部は、前記再生要求信号を送信した前記第１の制御部が、前記記録要求信号を送信した前記第１の制御部と同一のときのみに再生を開始することを特徴とする請求項４記載のリモートコントロールシステム。
【請求項６】
前記第２の制御部は、前記着信情報を受信したとき、既に放送中の画像信号の前記記録部への記録を行っている場合には、前記画像信号に頭出し信号を付加することを特徴とする請求項１記載のリモートコントロールシステム。
【請求項７】
他の電子機器との間で無線通信を行う無線通信部と、
電話の着信があった旨の着信情報を前記無線通信部を介して前記他の電子機器へ送信し、前記着信情報に対する応答を前記他の電子機器から受信したとき、着信相手との通話を可能にする制御部とを含むことを特徴とする携帯電話。
【請求項８】
放送電波受信部と、画像表示部と、前記電波受信部で受信した画像信号を記録する記録部と、電話装置との間で無線通信を行う無線通信部とを備え、
前記電話装置からの電話の着信があった旨の着信情報を受信し、現在表示されている放送の画像信号の前記記録部への記録を開始し、前記着信情報に対する応答を前記無線通信部を介して前記電話装置に送信することを特徴とする画像表示装置。
【発明の詳細な説明】
【技術分野】
【０００１】
本発明はリモートコントロールシステム、携帯電話及び画像表示装置に関し、特に携帯電話に着信があった際に、簡単な動作により、確実に現在表示中のテレビ番組の録画を開始することが可能なリモートコントロールシステム、携帯電話及び画像表示装置に関する。
【背景技術】
【０００２】
テレビ番組鑑賞中に電話がかかってきた場合、電話に出ている間に大事なシーンを見逃してしまうということがあった。また、電話をしながらテレビを見ていた場合、テレビに夢中になるあまり、会話の内容を理解できなくなることがあった。
【０００３】
近年、大半の家庭にＶＴＲ等の録画機器が置かれるようになってからは、そのような場合にはテレビ番組を録画することにより、電話中には会話に集中し、通話終了後に録画されたテレビ番組を見ることで、大事なシーンを見逃さずに済むようになった。
【０００４】
しかし、電話は突然かかってくるものであり、そのような場合、人は極めて慌てやすいものである。特に、テレビ番組に熱中しているような場合はなおさらである。更に、今まで見ていた番組の録画を開始して、それから電話に応答するという動作を、電話が鳴ってから応答するまでの短期間に行うとなると、相当に慌てやすくなる。早く電話に応答しなければ、相手が電話を切ってしまうかもしれないからである。
【０００５】
このような問題点に対して、赤外線通信を内蔵する携帯電話を用いて、携帯電話の着信応答時に、赤外線通信を用いて自動的に番組録画を行うことのできる方法が発明されている（例えば、特許文献１参照）。
【特許文献１】特開２００４−１７９８６２号公報
【発明の開示】
【発明が解決しようとする課題】
【０００６】
しかしながら、赤外線通信は携帯電話の赤外線送信部が被制御機器の受光部の方向を向いていなければならず、確実に方向を合わせて赤外線を送信しなければならない。
【０００７】
また、特許文献１の発明は、単に被制御機器用のリモコンにおける録画開始の制御信号を携帯電話より送信するにすぎない。そのため、同機能を有する複数の携帯電話が混在するような場合には、誤作動を生じるおそれがある。
【０００８】
したがって本発明は、携帯電話に着信があった際に、簡単な動作により、確実に現在表示中のテレビ番組の録画を開始することが可能なリモートコントロールシステム、携帯電話及び画像受信装置を提供することを目的とする。
【課題を解決するための手段】
【０００９】
本発明は、上記目的を達成するため、他の電子機器との間で無線通信を行う第１の無線通信部を備える携帯電話と、放送電波受信部と、画像表示部と、前記放送電波受信部で受信した画像信号を記録する記録部と、他の電子機器との間で無線通信を行う第２の無線通信部とを備える画像表示装置とからなり、前記携帯電話は、電話の着信があった旨の着信情報を前記第１の無線通信部を介して前記画像表示装置へ送信し、前記着信情報に対する応答を前記画像表示装置から受信した後に着信相手との通話を可能にする第１の制御部を含み、前記画像表示装置は、前記着信情報を受信したとき、現在表示されている放送の画像信号を前記記録部へ記録し、かつ、前記応答を前記第２の無線通信部を介して前記携帯電話に送信する第２の制御部を含むことを特徴とするリモートコントロールシステムを提供する。
【００１０】
上記リモートコントロールシステムは、前記第１の制御部が前記着信情報を前記携帯電話におけるユーザの着信応答動作に基づいて出力し、前記第２の制御部が前記着信情報を受信したとき、前記画像表示装置に現在表示されている放送の画像信号の前記記録部への記録を開始するものであってもよい。
【００１１】
また、上記リモートコントロールシステムは、前記第２の制御部が前記画像表示装置におけるユーザの操作に基づき前記画像表示装置に現在表示されている放送の画像信号の前記記録部への記録を開始し、前記第１の制御部が前記応答を受信したとき、前記携帯電話を前記着信に対して応答保留状態にするものであってもよい。
【００１２】
また、上記リモートコントロールシステムは、前記第１の制御部が前記通話が終了したとき、録画した番組の再生を開始する旨の再生要求信号を前記第１の無線通信部を介して前記画像表示装置に送信し、前記第２の制御部が前記再生要求信号に応じて前記番組の録画を継続しつつ録画した番組を再生するものであってもよい。
【００１３】
更に、上記第２の制御部は、前記再生要求信号を送信した前記第１の制御部が、前記記録要求信号を送信した前記第１の制御部と同一のときのみに再生を開始するものであってもよい。
【００１４】
また、上記第２の制御部は、前記着信情報を受信したとき、既に放送中の画像信号の前記記録部への記録を行っている場合には、前記画像信号に頭出し信号を付加するものであってもよい。
【００１５】
また、本発明は、他の電子機器との間で無線通信を行う無線通信部と、電話の着信があった旨の着信情報を前記無線通信部を介して前記他の電子機器へ送信し、前記着信情報に対する応答を前記他の電子機器から受信したとき、着信相手との通話を可能にする制御部とを含むことを特徴とする携帯電話を提供するものでもある。
【００１６】
更に、本発明は、放送電波受信部と、画像表示部と、前記電波受信部で受信した画像信号を記録する記録部と、電話装置との間で無線通信を行う無線通信部とを備え、前記電話装置からの電話の着信があった旨の着信情報を受信し、現在表示されている放送の画像信号の前記記録部への記録を開始し、前記着信情報に対する応答を前記無線通信部を介して前記電話装置に送信することを特徴とする画像表示装置を提供するものでもある。
【発明の効果】
【００１７】
本発明によれば、携帯電話に着信があった際に、簡単な動作により、確実に現在表示中のテレビ番組の録画を開始することが可能なリモートコントロールシステム、携帯電話及び画像受信装置を提供することができる。
【発明を実施するための最良の形態】
【００１８】
以下、図面を参照しながら本発明の実施の形態について説明する。
【００１９】
（システムの構成）
図１は、本発明に係るリモートコントロールシステム１００を示す外観図である。リモートコントロールシステム１００は、携帯電話１と、デジタルテレビ２とから構成されている。
【００２０】
携帯電話１には後述する無線通信部１９が、デジタルテレビには後述する無線通信部２９が、それぞれ搭載されており、無線通信により互いに通信相手に対する制御命令を送信することができる。
【００２１】
無線通信の方式としては、ブルートゥース（登録商標）が好適である。よって、以下においては、ブルートゥース（登録商標）を用いた無線通信と説明することとする。但し、本発明に係るリモートコントロールシステム１００は、その無線方式をブルートゥース（登録商標）に限定されるものではなく、無線ＬＡＮ、ワイヤレスＵＳＢ、ＵＷＢ等であってもよく、指向性のない無線方式であればいかなるものであってもよい。尚、赤外線通信は指向性があるため、本発明には不適である。
【００２２】
また、デジタルテレビ２は、本体において番組録画機能を備えており、ビデオレコーダ等を別途備えることなく、後述するメモリ２４に映像データを記録することができる。
【００２３】
（携帯電話及びデジタルテレビの内部構成）
図２は、本発明に係る携帯電話１及びデジタルテレビ２の内部構成を示すブロック図である。
【００２４】
携帯電話１は、ＣＰＵ１１、ＲＯＭ（Read Only Memory）１２、ＲＡＭ（Random Access Memory）１３、メモリ１４、操作部１５、アンテナ１６、モニタ部１７、音声部１８、無線通信部１９、バス２０からなる。
【００２５】
ＣＰＵ１１は、携帯電話１の各構成部の制御を司るものである。ＣＰＵ１１は後述するＲＯＭ１２やメモリ１４に格納されたプログラムに従って、各構成部に対して制御信号を送信し、それに従って各構成部は動作を実行する。
【００２６】
ＲＯＭ１２は、携帯電話１の駆動に必要なデータ、プログラム等を格納する。データ、プログラム等は、予め格納されたものであり、データ等の追記や消去を行うことはできない。
【００２７】
ＲＡＭ１３は、プログラム実行中に必要なパラメータやデータを一時的に格納する揮発性のメモリである。後述のメモリ１４に比べて高速アクセスが可能であるが、揮発性であるため、電源切断後も記録を保持することはできない。
【００２８】
メモリ１４は、データやプログラムを格納する。具体的には、ＨＤＤやフラッシュメモリ等が該当する。格納されるデータの例としては、電話番号等の通話先データ、受信記録、発信記録等が挙げられる。また、メモリ１４に格納されるプログラムは、修正プログラムや追加プログラムであり、ＲＯＭ１２に追記することができないプログラムである。メモリ１４は、ＲＡＭ１３とは異なり不揮発性であることが望まれる。
【００２９】
操作部１５は、ユーザが携帯電話１の動作を制御するためのコマンド入力を行うものであり、携帯電話１の表面に設けられた複数の操作スイッチに該当する。
【００３０】
アンテナ１６は、基地局から送信される電話通信の電波を受信する。また、通話時には携帯電話１からの電話通信の電波を送信する。
【００３１】
モニタ部１７は、携帯電話１の有する情報等をユーザに対して表示する。具体的には、着信先の電話番号、登録された電話帳リスト、ユーザ３の操作した内容等である。
【００３２】
音声部１８は、通話音声を発生する受話器部分や、着信音を発生するスピーカ等が相当する。
【００３３】
無線通信部１９は、デジタルテレビ２との間でブルートゥース（登録商標）通信を行うものである。
【００３４】
バス２０は、上記各構成部との間を電気的に接続するものであり、各構成部間における制御信号やデータの送受信はバス２０を介して行われる。
【００３５】
デジタルテレビ２は、ＣＰＵ２１、ＲＯＭ２２、ＲＡＭ２３、メモリ２４、リモコン受信部２５、チューナ部２６、モニタ部２７、音声部２８、無線通信部２９、バス３０からなり、携帯電話１とほぼ同様の構成をとる。
【００３６】
メモリ２４は、プログラムやデータを格納する他、録画されたテレビ放送の映像データも格納する。
【００３７】
リモコン受信部２５は、ユーザ３の操作する後述するリモコン４から送られる制御信号を受信し、その信号の内容をＣＰＵ２１に送信する。
【００３８】
チューナ部２６は、図示しないアンテナを介して、特定周波数のテレビ放送の電波を受信する。
【００３９】
（第１の実施の形態）
以下、本発明に係るリモートコントロールシステムにおける動作を説明する。
【００４０】
本発明に係るリモートコントロールシステムの第１の実施の形態は、デジタルテレビ２におけるテレビ番組の録画開始を、携帯電話１の操作によって制御するものである。
【００４１】
（電話着信時の操作）
最初に、携帯電話１に着信があった際の携帯電話１の操作によるデジタルテレビ２の制御動作について説明する。
【００４２】
図３は、携帯電話１に着信があった際に、ユーザ３が携帯電話１を操作することによりデジタルテレビ２を制御する様子を示す図である。
【００４３】
図３（ａ）は、ユーザ３がデジタルテレビ２においてテレビ番組を鑑賞中に、携帯電話１に着信があったことを示している。ここで、図３（ａ）では携帯電話１に着信があったことを示すためにユーザ３から離れて描いているが、実際には携帯電話１はユーザ３の手に届く範囲内にあるものとする。
【００４４】
ユーザ３が携帯電話１を手にとり、通話ボタンを押動すると、図３（ｂ）に描くように、携帯電話１からデジタルテレビ２へ番組録画を開始するよう無線通信によって指示がされる。
【００４５】
そして、図３（ｃ）に描かれるように、デジタルテレビ２において録画が開始された後、携帯電話１における通話が開始されるので、ユーザ３が携帯電話１において通話中の放送は、全てデジタルテレビ２において録画されることになる。そのため、ユーザ３が電話に集中することによりテレビ画面を見ることができなくても、通話中のシーンを見逃すことなく、録画により対応することができる。
【００４６】
なお、携帯電話１に着信があった際に、デジタルテレビ２において既に他の番組の録画を行っていた場合には、録画を行うことができない。このような場合には、携帯電話１のモニタ上に録画をすることができない旨の表示がなされる。
【００４７】
図４は、電話着信時にデジタルテレビ２において録画を行うことができない際に、携帯電話１のモニタ上における表示例である。
【００４８】
携帯電話１のモニタ部１７には、着信表示として、着信先の電話番号が表示されると共に、デジタルテレビ２において現在表示中の番組を録画することができない旨の表示がなされる。更に、録画ができなくてもよいかとの問いかけに対して「はい」と「いいえ」の２つの選択肢を表示し、ユーザ３は、携帯電話１の操作部を操作していずれかの選択を行う。
【００４９】
「はい」を選択した場合には、録画ができなくても構わないとして、録画が開始されないまま、通話が開始される。一方、「いいえ」を選択した場合には、録画ができない以上、通話よりもテレビ鑑賞を優先するとして、通話は開始されずに留守番電話サービスに接続されるか、着信することができない旨の通知を相手方にすることになる。
【００５０】
（携帯電話着信時の動作フローチャート）
図５は、本発明に係るリモートコントロールシステムを構成する携帯電話１及びデジタルテレビ２の、第１の実施の形態における携帯電話着信時の動作を示すフローチャートである。以下、特に記載のない限り、各動作は携帯電話１のＣＰＵ１１又はデジタルテレビ２のＣＰＵ２１が行うものとする。
【００５１】
最初に、携帯電話１に着信があったか否かの判断がなされる（ステップＳ１０１）。ＣＰＵ１１が携帯電話１に着信がなかったと判別した場合には（Ｓ１０１：ＮＯ）、着信があるまでこの操作を繰り返し、着信があったと判別した場合には（Ｓ１０１：ＹＥＳ）、デジタルテレビ２に対してＡＶＲＣＰ（A/V Remote Control Profile）接続を要求する（ステップＳ１０２）。
【００５２】
ＡＶＲＣＰとは、ブルートゥース（登録商標）におけるプロファイルの１つであり、ＡＶ機器をリモートコントロールするための通信手順について定めたものである。これに基づいた通信を行うことにより、同じＡＶＣＲＰを使用する機器間で、ある程度の互換性を保つことができる。
【００５３】
前記ＡＶＲＣＰ接続の要求を受けたデジタルテレビ２において、ＡＶＲＣＰ接続が可能であれば、ＣＰＵ２１は無線通信部２９を介して携帯電話１に対してＡＶＲＣＰ接続を認める応答を行う（ステップＳ２０１）。これにより携帯電話１とデジタルテレビ２との間におけるブルートゥース（登録商標）通信が開始される。
【００５４】
ＡＶＲＣＰ接続応答を受けた携帯電話１において、ユーザ３により着信ボタンが押動されたか否かの判断がなされる（ステップＳ１０３）。着信ボタンが押動されていないと判別した場合には（Ｓ１０３：ＮＯ）、この操作を繰り返し、着信ボタンが押動されたと判別した場合には（Ｓ１０３：ＹＥＳ）、デジタルテレビ２に対して録画開始の要求コマンドを送信する（ステップＳ１０４）。
【００５５】
録画開始の要求コマンドを受信したデジタルテレビ２においては、コマンドに従い現在表示中の番組の録画を開始し（ステップＳ２０２）、録画開始要求に対する応答コマンドを携帯電話１に対して送信する（ステップＳ２０３）。
【００５６】
録画開始要求に対する応答コマンドを受信して録画が開始されたことが確認された後、携帯電話１において通話を開始する（ステップＳ１０５）。その後、デジタルテレビ２に対してＡＶＲＣＰ切断を要求する（ステップＳ１０６）。
【００５７】
デジタルテレビ２が前記ＡＶＲＣＰ切断の要求を受けると、携帯電話１に対してＡＶＲＣＰ切断を認める応答を行い（ステップＳ２０４）、その応答を受信した携帯電話１はＡＶＲＣＰ切断を行い（ステップＳ１０７）、デジタルテレビ２もＡＶＲＣＰ切断を行う（ステップＳ２０５）。
【００５８】
以上で、通話開始時における携帯電話１とデジタルテレビ２との間の無線通信は終了し、以降、携帯電話１では通話が、デジタルテレビ２では録画が行われていく。
【００５９】
なお、電話着信時に、既にユーザ３が現在表示中の番組を同時録画している場合には、更に録画する必要がないので、録画を開始するのではなく、録画中の番組の現在の箇所にチャプタ（頭出し）設定を行うことができる。
【００６０】
（携帯電話通話終了時の操作）
続いて、携帯電話１における通話終了時の携帯電話１の操作によるデジタルテレビ２の制御動作について説明する。
【００６１】
図６は、携帯電話１における通話が終了した際に、ユーザ３が携帯電話１を操作することによりデジタルテレビ２を制御する様子を示す図である。
【００６２】
図６（ａ）に示すように、携帯電話１における通話が終了して、ユーザ３が携帯電話の切断ボタンを押動すると、携帯電話１からデジタルテレビ２へ通話が終了した旨の通知が、無線通信によりなされる。
【００６３】
すると、デジタルテレビ２は、現在放送中の番組の録画は番組終了まで継続しつつ、録画開始時点からの映像の再生（追っかけ再生）を開始する。これにより、図６（ｂ）に描くように、ユーザ３は、通話開始前に見ていたテレビ番組の続きをデジタルテレビ２が追っかけ再生するので、通話中に放送されたテレビ番組のシーンを見逃すことなく、継続してみることができる。
【００６４】
図７は、本発明に係るリモートコントロールシステムにおける追っかけ再生の概念を表す図である。
【００６５】
ユーザ３の視聴している放送中のテレビ番組が、シーン１からシーン１０で構成されているとする。デジタルテレビ２において当該テレビ番組を視聴すると、受信された番組のシーンが、リアルタイムで表示されていく。
【００６６】
放送中のテレビ番組のシーン４が終了する直前に携帯電話１に着信があったとする。このとき、放送されているテレビ番組がシーン４からシーン５に切り換わるときに、デジタルテレビ２において当該番組の録画が開始されると共に携帯電話１での通話が開始される。
【００６７】
そして、放送中のテレビ番組がシーン７からシーン８に切り換わるときに携帯電話１での通話が終了したとする。このとき放送中のテレビ番組ではシーン８が放送されるが、デジタルテレビ２においては、追っかけ再生が開始されるので、録画開始の先頭部分であるシーン５が表示されることになる。このとき、デジタルテレビ２においては、当該番組の録画は継続されており、シーン８以降が順次録画されていくことになる。
【００６８】
放送中のテレビ番組がシーン１０まで放送され、放送が終了すると、デジタルテレビ２における録画も終了するが、その時点ではまだシーン８以降の再生が残っているので、録画された番組の全てが再生終了するまで、再生が継続される。
【００６９】
なお、図７における説明は、説明の簡略化のため、テレビ番組をシーンに区切って説明したが、実際には携帯電話の着信や通話終了のタイミングがテレビ番組のシーンの境目と一致するとは限らず、あくまでも携帯電話の着信や通話終了のタイミングに応じて、録画や再生が開始されるものである。
【００７０】
（通話終了時の動作フローチャート）
図８は、本発明に係るリモートコントロールシステムを構成する携帯電話１及びデジタルテレビ２の、第１の実施の形態における通話終了時の動作を示すフローチャートである。
【００７１】
最初に、携帯電話１の終了ボタンが押動されたか否かの判断がなされる（ステップＳ１１１）。終了ボタンが押動されなかったと判別した場合には（Ｓ１１１：ＮＯ）、押動されるまでこの操作を繰り返し、押動されたと判別した場合には（Ｓ１１１：ＹＥＳ）、デジタルテレビ２に対してＡＶＲＣＰ接続を要求する（ステップＳ１１２）。
【００７２】
前記ＡＶＲＣＰ接続の要求を受けたデジタルテレビ２において、ＡＶＲＣＰ接続が可能であれば、携帯電話１に対してＡＶＲＣＰ接続を認める応答を行う（ステップＳ２１１）。これにより携帯電話１とデジタルテレビ２との間におけるブルートゥース（登録商標）通信が開始される。
【００７３】
ＡＶＲＣＰ接続応答を受けた携帯電話１において、デジタルテレビ２に対して追っかけ再生開始の要求コマンドを送信する（ステップＳ１１３）。そして、追っかけ再生開始の要求コマンドを受信したデジタルテレビ２においては、コマンドに従い現在録画中の番組の追っかけ再生を開始し（ステップＳ２１２）、追っかけ再生開始要求に対する応答コマンドを携帯電話１に対して送信する（ステップＳ２１３）。
【００７４】
追っかけ再生開始要求に対する応答コマンドを受信して追っかけ再生が開始されたことが確認された後、デジタルテレビ２に対してＡＶＲＣＰ切断を要求する（ステップＳ１１４）。
【００７５】
デジタルテレビ２が前記ＡＶＲＣＰ切断の要求を受けると、携帯電話１に対してＡＶＲＣＰ切断を認める応答を行い（ステップＳ２１４）、その応答を受信した携帯電話１はＡＶＲＣＰ切断を行い（ステップＳ１１５）、デジタルテレビ２もＡＶＲＣＰ切断を行う（ステップＳ２１５）。
【００７６】
以上で、通話開始時における携帯電話１とデジタルテレビ２との間の無線通信は終了し、以降、デジタルテレビ２では追っかけ再生が行われていく。
【００７７】
（第２の実施の形態）
本発明に係るリモートコントロールシステムの第２の実施の形態は、デジタルテレビ２におけるテレビ番組の録画開始を、携帯電話１の操作によって制御するものである。
【００７８】
以下、携帯電話１に着信があった際のデジタルテレビ２の操作による携帯電話１の制御動作について説明する。
【００７９】
図９及び図１０は、携帯電話１に着信があった際に、ユーザ３がデジタルテレビ１を操作することにより携帯電話１を制御する様子を示す図である。
【００８０】
図９（ａ）は、ユーザ３がデジタルテレビ２においてテレビ番組を鑑賞中に、携帯電話１に着信があったことを示している。このとき、刑帯電話１はユーザ３から離れた位置にあるか、或いはマナーモードに設定されていてユーザ３が着信に気付かないかにより、ユーザ３が直ちに着信に応答できないものとする。そこで、携帯電話１はデジタルテレビ２との間で無線通信を行い、デジタルテレビ２に対して着信があったことを通知する。
【００８１】
着信通知を受けたデジタルテレビ２は、図９（ｂ）に描くように、携帯電話１に着信があったことをモニタ上に表示し、ユーザ３に告知する。それにより、ユーザ３は携帯電話１に着信があったことを認識することができる。
【００８２】
そして、図９（ｃ）に描くように、ユーザ３がリモコン４を操作してデジタルテレビに録画開始の指示を送ると、図１０（ａ）に描くように、デジタルテレビ２は現在表示中の番組の録画を開始すると共に、携帯電話１に対して、保留応答するよう無線通信による指示を送る。保留応答とは、電話に出るまでの間通話を切断せずに待っていてもらうよう、通話相手に対してメッセージを伝えることである。
【００８３】
そして、ユーザ３が携帯電話１を手に取り、着信スイッチを押動することにより、通話回線が接続し、図１０（ｂ）に描くように、通話が開始される。
【００８４】
この場合、リモコン４の操作１つで、番組録画の開始と、携帯電話１の応答保留とを同時に行うことができるので、両操作を慌てることなく行うことができ、確実な番組録画と着信応答が可能となり、通話中のテレビ放送を見逃すことがなくなる。
【００８５】
図１１（ａ）及び（ｂ）は、デジタルテレビ２のモニタ部２７に、携帯電話１に着信があったことを表示する場合における表示例である。
【００８６】
図１１（ａ）においては、モニタ部２７上には、着信のあった携帯電話の電話番号と、通話先の携帯電話の電話番号とが表示され、誰から誰に対して着信があったのかを表示する。更に、「保留」と「拒否」との選択肢が２つ表示される。
【００８７】
「保留」が選択されると、着信した携帯電話は保留応答を開始するが、「拒否」が選択された場合は、着信拒否となって、留守番電話サービスへ接続されるか、着信することができない旨の通知を相手方にすることになる。
【００８８】
図１１（ｂ）も、（ａ）とほぼ同様であるが、着信した携帯電話の識別を、電話番号でなく個人名にて行う点が異なる。予めデジタルテレビ２に携帯電話の番号と所有者の氏名とを登録しておくことにより、図１０（ｂ）のような表示が可能となる。
【００８９】
図１１（ｃ）は、デジタルテレビ２に対する携帯電話の電話番号と所有者氏名の登録例である。
【００９０】
（携帯電話着信時の動作フローチャート）
図１２は、本発明に係るリモートコントロールシステムを構成する携帯電話１及びデジタルテレビ２の、第２の実施の形態における携帯電話着信時の動作を示すフローチャートである。
【００９１】
最初に、携帯電話１に着信があったか否かの判断がなされる（ステップＳ１２１）。携帯電話１に着信がなかったと判別した場合には（Ｓ１２１：ＮＯ）、着信があるまでこの操作を繰り返し、着信があったと判別した場合には（Ｓ１２１：ＹＥＳ）、デジタルテレビ２に対してＡＶＲＣＰ接続を要求する（ステップＳ１２２）。
【００９２】
前記ＡＶＲＣＰ接続の要求を受けたデジタルテレビ２において、ＡＶＲＣＰ接続が可能であれば、携帯電話１に対してＡＶＲＣＰ接続を認める応答を行う（ステップＳ２２１）。これにより携帯電話１とデジタルテレビ２との間におけるブルートゥース（登録商標）通信が開始される。
【００９３】
次に、ＡＶＲＣＰ接続応答を受けた携帯電話１からデジタルテレビ２に対して、携帯電話１における着信情報の通知がなされる（ステップＳ１２３）。着信情報の通知を受けたデジタルテレビ２は、モニタ上に当該着信情報を図１０に示すように表示し（ステップＳ２２２）、更に携帯電話１に対して着信情報の通知に対する応答を行う（ステップＳ２２３）。
【００９４】
次に、デジタルテレビ２において、ユーザ３が応答保留を選択したか否かの判断がなされる（ステップＳ２２４）。応答保留が選択されていないと判別した場合には（Ｓ２２４：ＮＯ）、この処理を繰り返し、応答保留が選択されたと判別した場合には（Ｓ２２４：ＹＥＳ）、携帯電話１に対して応答保留が選択された旨を通知する（ステップＳ２２５）。
【００９５】
通知を受けた携帯電話１は、着信相手に対して応答保留を行い（ステップＳ１２４）、デジタルテレビ２の応答保留の通知に対する応答を行う（ステップＳ１２５）。そして、応答を受けたデジタルテレビ２は、現在表示中のテレビ番組の録画を開始する（ステップＳ２２６）。
【００９６】
次に、携帯電話１において、ユーザ３により着信ボタンが押動されたか否かの判断がなされる（ステップＳ１２６）。着信ボタンが押動されていないと判別した場合には（Ｓ１２６：ＮＯ）、この操作を繰り返し、着信ボタンが押動されたと判別した場合には（Ｓ１２６：ＹＥＳ）、通話を開始する（ステップＳ１２７）。その後、デジタルテレビ２に対してＡＶＲＣＰ切断を要求する（ステップＳ１２８）。
【００９７】
デジタルテレビ２が前記ＡＶＲＣＰ切断の要求を受けると、携帯電話１に対してＡＶＲＣＰ切断を認める応答を行い（ステップＳ２２７）、その応答を受信した携帯電話１はＡＶＲＣＰ切断を行い（ステップＳ１２９）、デジタルテレビ２もＡＶＲＣＰ切断を行う（ステップＳ２２８）。
【００９８】
以上で、通話開始時における携帯電話１とデジタルテレビ２との間の無線通信は終了し、以降、携帯電話１では通話が、デジタルテレビ２では録画が行われていく。
【００９９】
なお、本実施の形態においても、電話着信時に、既にユーザ３が現在表示中の番組を同時録画している場合には、更に録画する必要がないので、録画を開始するのではなく、録画中の番組の現在の箇所にチャプタ（頭出し）設定を行うことができる。
【０１００】
（携帯電話通話終了時の操作）
携帯電話１における通話終了時の携帯電話１の操作によるデジタルテレビ２の制御動作については、常に携帯電話１における操作により行われるので、上述した第１の実施の形態における携帯電話通話終了時の操作と変わることはない。
【図面の簡単な説明】
【０１０１】
【図１】本発明に係るリモートコントロールシステム１００を示す外観図である。
【図２】本発明に係る携帯電話１及びデジタルテレビ２の内部構成を示すブロック図である。
【図３】携帯電話１に着信があった際に、ユーザ３が携帯電話１を操作することによりデジタルテレビ２を制御する様子を示す図である。
【図４】電話着信時にデジタルテレビ２において録画を行うことができない際に、携帯電話１のモニタ上における表示例である。
【図５】本発明に係るリモートコントロールシステムを構成する携帯電話１及びデジタルテレビ２の、第１の実施の形態における携帯電話着信時の動作を示すフローチャートである。
【図６】携帯電話１における通話が終了した際に、ユーザ３が携帯電話１を操作することによりデジタルテレビ２を制御する様子を示す図である。
【図７】本発明に係るリモートコントロールシステムにおける追っかけ再生の概念を表す図である。
【図８】本発明に係るリモートコントロールシステムを構成する携帯電話１及びデジタルテレビ２の、第２の実施の形態における通話終了時の動作を示すフローチャートである。
【図９】携帯電話１に着信があった際に、ユーザ３がデジタルテレビ１を操作することにより携帯電話１を制御する様子を示す図である。
【図１０】携帯電話１に着信があった際に、ユーザ３がデジタルテレビ１を操作することにより携帯電話１を制御する様子を示す図の続きである。
【図１１】（ａ）及び（ｂ）は、デジタルテレビ２のモニタ部２７に、携帯電話１に着信があったことを表示する場合における表示例、（ｃ）は、デジタルテレビ２に対する携帯電話の電話番号と所有者氏名の登録例である。
【図１２】本発明に係るリモートコントロールシステムを構成する携帯電話１及びデジタルテレビ２の、第２の実施の形態における携帯電話着信時の動作を示すフローチャートである。
【符号の説明】
【０１０２】
１、携帯電話  ２、デジタルテレビ  ３、ユーザ  ４、リモコン  １１、２１、ＣＰＵ
１２、２２、ＲＯＭ  １３、２３、ＲＡＭ  １４、２４、メモリ  １５、操作部
１６、アンテナ  １７、２７、モニタ部  １８、２８、音声部  １９、２９、無線通信部
２０、３０、バス  ２５、リモコン受信部  ２６、チューナ部
【図１】
2007096852.tif 000003
【図２】
2007096852.tif 000004
【図３】
2007096852.tif 000005
【図４】
2007096852.tif 000006
【図５】
2007096852.tif 000007
【図６】
2007096852.tif 000008
【図７】
2007096852.tif 000009
【図８】
2007096852.tif 000010
【図９】
2007096852.tif 000011
【図１０】
2007096852.tif 000012
【図１１】
2007096852.tif 000013
【図１２】
2007096852.tif 000014